(57)【要約】【課題】  冷却水の温度変化に応じて復水器の真空度を適正値に調整できる復水器の管理システムを提供することを課題とする。【解決手段】  復水器に供給される冷却水の温度を計測する水温計測部と、前記復水器の真空度を計測する真空度計測部と、前記復水器の真空度を調整する制御部とを備え、該制御部は、前記真空度計測部が計測した前記復水器の真空度実測値と、前記水温計測部で計測した冷却水の水温実測値に適した真空度である理想真空値との差を導出する比較手段と、該比較手段で導出した真空度実測値と前記理想真空値との差に基づいて前記復水器の真空度を前記理想真空値に近づけるように調整する調整手段とを有する復水器の管理システム。【選択図】図３
2018119524.tif 000002
【特許請求の範囲】
【請求項１】
復水器に供給される冷却水の温度を計測する水温計測部と、前記復水器の真空度を計測する真空度計測部と、前記復水器の真空度を調整する制御部とを備え、該制御部は、前記真空度計測部が計測した前記復水器の真空度実測値と、前記水温計測部で計測した冷却水の水温実測値に適した真空度である理想真空値との差を導出する比較手段と、該比較手段で導出した真空度実測値と前記理想真空値との差に基づいて前記復水器の真空度を前記理想真空値に近づけるように調整する調整手段とを有する復水器の管理システム。
【請求項２】
前記理想真空値は、前記冷却水の温度と、前記復水器につながる発電機の出力値であって前記冷却水の温度に適した出力値とに基づいて導出される請求項１に記載の復水器の管理システム。
【請求項３】
前記制御部は、前記水温実測値に基づいて新たな理想真空値を導出する基準導出手段と、使用中の前記理想真空値を該基準導出手段で導出した新たな理想真空値に更新する更新手段とを有する請求項１又は請求項２に記載の復水器の管理システム。
【請求項４】
前記制御部は、前記更新手段で更新した新たな理想真空値と、前記復水器の真空度が異常であることを判断する基準とする異常基準値とを比較し、該新たな理想真空値が異常基準値よりも低下していると判断した場合に、前記復水器の真空度が異常である旨を通知する異常通知手段を有する請求項３に記載の復水器の管理システム。
【請求項５】
前記制御部は、前記更新手段で更新した新たな理想真空値が更新前の前記理想真空値よりも低下していることを連続的に検知した場合に、前記復水器が劣化している旨を通知する劣化通知手段を有する請求項３又は請求項４に記載の復水器の管理システム。
【発明の詳細な説明】
【技術分野】
【０００１】
本発明は、プラントに設置されている復水器の管理システムに関する。
【背景技術】
【０００２】
従来から、火力発電所等のプラントにおいては、復水器が設置されており、この復水器の真空度を調整するための管理システムが構築されている。
【０００３】
かかる管理システムは、復水器の真空度と復水器用の冷却水の水量（冷却水量）とを測定し、該真空度と冷却水量とに応じて復水器に設けられた大気解放用の出口弁の開度を調整するように構成されている。
【０００４】
そのため、前記管理システムでは、冷却水量の変化に応じて復水器の真空度が適正な値となるように調整されるため、冷却水量の変化に伴う復水器の異常が防止される（例えば、特許文献１参照）。
【先行技術文献】
【特許文献】
【０００５】
【特許文献１】特開昭５９−１３８８９１号公報
【発明の概要】
【発明が解決しようとする課題】
【０００６】
ところで、プラントでは、海や川等の外部の水源から取り入れた水が復水器の冷却水として用いられており、この冷却水の温度変化に伴って復水器の真空度が顕著に変化することが知られている。
【０００７】
しかしながら、従来の管理システムでは、冷却水の温度変化に連動して復水器の真空度が適正値から逸脱したことが判明した後に、該復水器の真空度を適正値に調整している。すなわち、従来の管理システムでは、冷却水の温度が変化した場合においては、復水器の真空度を事後的に（適正値から逸脱した後に）調整して適正値に合わせているため、復水器の運転状態が不安定になることがあった。
【０００８】
そこで、本発明は、かかる実情に鑑み、冷却水の温度変化に応じて復水器の真空度を適正値に調整できる復水器の管理システムを提供することを課題とする。
【課題を解決するための手段】
【０００９】
本発明の復水器の管理システムは、復水器に供給される冷却水の温度を計測する水温計測部と、前記復水器の真空度を計測する真空度計測部と、前記復水器の真空度を調整する制御部とを備え、該制御部は、前記真空度計測部が計測した前記復水器の真空度実測値と、前記水温計測部で計測した冷却水の水温実測値に適した真空度である理想真空値との差を導出する比較手段と、該比較手段で導出した真空度実測値と前記理想真空値との差に基づいて前記復水器の真空度を前記理想真空値に近づけるように調整する調整手段とを有する。
【００１０】
上記構成の復水器の管理システムでは、真空度実測値が水温実測値に適した真空度、すなわち、冷却水の温度の実測値に適した真空度である理想真空値からずれていると、調整手段によって復水器の真空度が理想真空値に近づくように調整される。
【００１１】
そのため、上記構成の復水器の管理システムでは、冷却水の温度変化に伴って復水器の真空度が変化してしまう前に復水器の真空度を冷却水の温度に適した状態に調整しておくことができる。
【００１２】
また、本発明の復水器の管理システムにおいて、前記理想真空値は、前記冷却水の温度と、前記復水器につながる発電機の出力値であって前記冷却水の温度に適した出力値とに基づいて導出されていてもよい。
【００１３】
かかる構成によれば、冷却水の温度が変化した際に、発電機の出力値を冷却水の温度に適した出力値に保ちつつ、復水器の真空度も冷却水の温度に適した状態に調整することができる。
【００１４】
さらに、本発明の復水器の管理システムにおいて、前記制御部は、前記水温実測値に基づいて新たな理想真空値を導出する基準導出手段と、使用中の前記理想真空値を該基準導出手段で導出した新たな理想真空値に更新する更新手段とを有するようにしてもよい。
【００１５】
かかる構成によれば、水温実測値、すなわち、冷却水の温度の実測値に基づいて新たな理想真空値を導出でき、また、更新手段により使用中の理想真空値を該新たな理想真空値に更新できる。そのため、上記構成の復水器の管理システムは、気候や環境の変化に合わせて理想真空値を変更でき、復水器の真空度を適正な状態から逸脱し難くすることができる。
【００１６】
この場合、前記制御部は、前記更新手段で更新した新たな理想真空値と、前記復水器の真空度が異常であることを判断する基準とする異常基準値とを比較し、該新たな理想真空値が異常基準値よりも低下していると判断した場合に、前記復水器の真空度が異常である旨を通知する異常通知手段を有するようにしてもよい。
【００１７】
かかる構成によれば、理想真空値を更新した時点で復水器の真空度が異常となることを予測できる。すなわち、復水器の真空度が異常となる可能性があることを予め知ることできるため、復水器の真空度が適正な状態から逸脱することを回避し易くすることができる。
【００１８】
また、前記制御部は、前記更新手段で更新した新たな理想真空値が更新前の前記理想真空値よりも低下していることを連続的に検知した場合に、前記復水器が劣化している旨を通知する劣化通知手段を有するようにしてもよい。
【００１９】
かかる構成によれば、理想真空値を更新した際に復水器が劣化していることを知ることができる。そのため、劣化の影響で復水器の真空度が適正な状態から逸脱する前に復水器のメンテナンスが必要であることを知ることができる。
【発明の効果】
【００２０】
以上のように、本発明の復水器の管理システムによれば、冷却水の温度変化に応じて復水器の真空度を適正値に調整できるという優れた効果を奏し得る。
【図面の簡単な説明】
【００２１】
【図１】図１は、本発明の一実施形態に係る復水器の管理システムの概要図である。
【図２】図２は、同実施形態に係る復水器の管理システムのブロック図である。
【図３】図３は、同実施形態に係る復水器の管理システムの制御部のブロック図である。
【図４】図４は、同実施形態に係る復水器の管理システムの理想真空度のメインフローチャートである。
【図５】図５は、同実施形態に係る復水器の管理システムの比較手段のサブフローチャートである。
【図６】図６は、同実施形態に係る復水器の管理システムの異常通知手段のサブフローチャートである。
【図７】図７は、同実施形態に係る復水器の管理システムの劣化通知手段のサブフローチャートである。
【図８】図８は、同実施形態に係る復水器の管理システムの調整手段のサブフローチャートである。
【図９】図９は、同実施形態に係る復水器の管理システムの理想真空度の説明図である。
【図１０】図１０は、同実施形態に係る復水器の管理システムの動作説明図であって、（ａ）は理想真空値よりも低い真空度実測値をプロットした状態の説明図であり、（ｂ）は理想真空値よりも高い真空度実測値をプロットした状態の説明図である。
【図１１】図１１は、同実施形態に係る復水器の管理システムの理想真空値を更新した状態の説明図であって、（ａ）は更新後の各理想真空値が上昇している場合の説明図であり、（ｂ）は更新後の各理想真空値が低下している場合の説明図である。
【図１２】図１２は、同実施形態に係る復水器の管理システムにおける更新後の理想真空値が異常基準値を下回っている状態の説明図である。
【発明を実施するための形態】
【００２２】
以下、本発明の一実施形態に係る復水器の管理システム（以下、管理システムと称する）、添付図面を参照しつつ説明する。
【００２３】
本実施形態に係る管理システムは、図１に示すように、プラントである火力発電所に設置されている復水器８０を管理するように構成されている。
【００２４】
火力発電所では、復水器８０に対して外部の水源（例えば、海や河川等）Ｓから冷却水を取り入れるための取水部８１と、発電機８２を駆動するためのタービン８３（図１参照）とが接続されている。また、復水器８０には、大気解放を行うための解放弁８１０が設けられている。
【００２５】
管理システム１は、図２に示すように、復水器８０に供給される冷却水の温度を計測する水温計測部２と、復水器８０の真空度を計測する真空度計測部３と、発電機８２の出力値を計測する出力計測部４と、復水器８０の真空度の調整処理を行う制御部５と、該制御部５に接続された記憶部６とを備えている。
【００２６】
なお、制御部５と記憶部６とは、水温計測部２、真空度計測部３、出力計測部４、復水器８０と通信可能なパソコン等の端末である処理装置７によって構成されている。
【００２７】
水温計測部２は、復水器８０に対して外部の水源Ｓから取り入れられる冷却水の温度（水温）を計測するように構成されており、本実施形態では、取水部８１に設けられている。これにより、水温計測部２は、復水器８０に供給される前の冷却水の温度を計測するように構成されている。
【００２８】
そして、水温計測部２は、計測した冷却水の温度（以下、水温実測値と称する）を制御部５に出力するように構成されている。
【００２９】
真空度計測部３は、計測した復水器８０の真空度（以下、真空度実測値と称する）を制御部５に送信し、出力計測部４は、計測した発電機８２の出力値（以下、出力実測値と称する）を制御部５に出力するように構成されている。
【００３０】
制御部５は、前記調整処理を常時実行するように構成されていてもよいし、所定の時間間隔毎に前記調整処理を実行するように構成されていてもよい。
【００３１】
本実施形態に係る制御部５は、図３に示すように、真空度実測値と水温実測値に適した真空度である理想真空値との差を導出する比較手段５０と、該比較手段５０で導出した真空度実測値と理想真空値との差に基づいて復水器８０の真空度を理想真空値に近づけるように調整する調整手段５１と、水温実測値に基づいて新たな理想真空値を導出する基準導出手段５２と、使用中の理想真空値を該基準導出手段５２で導出した新たな理想真空値に更新する更新手段５３と、更新手段５３で更新した新たな理想真空値が、復水器８０の真空度の異常を示す基準である異常基準値よりも低下していることを検知した場合に、復水器８０の真空度が異常である旨を通知する異常通知手段５４と、更新手段５３で更新した新たな理想真空値（以下、更新後の理想真空値という）が更新前の理想真空値に対して低下していることを連続して検知した場合に、復水器８０が劣化している旨を通知する劣化通知手段５５とを有する。
【００３２】
ここで、理想真空値について説明する。理想真空値は、プラントの正常運転に適した復水器８０の真空度を示す値であり、冷却水の温度と、プラントの正常運転時における復水器８０に関連する設備の運転状態とに基づいて導出された値である。本実施形態に係る理想真空値は、冷却水の温度と、プラントの正常運転時における発電機８２の出力値とに基づいて設定されている。
【００３３】
また、管理システムでは、初回起動時に理想真空値の初期値（制御部５に予め設定されている理想真空値）が必要となるが、理想真空値の初期値は、例えば、過去に計測した水温実測値と出力実測値とに基づいて導出すればよい。
【００３４】
なお、理想真空値は、図９に示すように、冷却水の温度毎に導出されている。本実施形態に係る管理システム１は、水温毎の理想真空値のそれぞれを、復水器８０の真空度と冷却水の温度とを座標軸とする直交座標系上にプロット（表示）するように構成されており、さらに、各プロット点を結んだ性能曲線を表示するように構成されている。
【００３５】
なお、図９及び図１０（ａ）、図１０（ｂ）においては、前記直交座標系に表示した使用中の理想真空値に符号「ＲＰ」を付し、性能曲線に符号「Ｌ」を付している。
【００３６】
比較手段５０は、図３に示すように、前記調整処理において、最初に実行される手段である。そして、比較手段５０は、真空度実測値と水温実測値に対応する理想真空値との差を導出するように構成されている。より具体的には、真空度実測値から理想真空値を減算し、理想真空値に対する真空度実測値の差が導出される。
【００３７】
本実施形態に係る比較手段５０は、前記直交座標系上に対して水温実測値と真空度実測値とに対応する点をプロットするように構成されている（図１０（ａ）、図１０（ｂ）参照）。なお、図１０（ａ）、図１０（ｂ）においては、水温実測値と真空度実測値とに基づいて前記直交座標系上にプロットした点に符号「ＤＰ」を付している。
【００３８】
調整手段５１は、比較手段５０で導出した真空度実測値と理想真空値との差に基づいて復水器８０の真空度を調整する。
【００３９】
本実施形態に係る調整手段５１は、解放弁８１０の開度を制御することにより復水器８０の真空度を調整するように構成されており、図１０（ａ）に示すように比較手段５０で導出した差の値が負となる場合（すなわち、復水器８０の実際の真空度が理想真空度よりも低い場合）は解放弁８１０の開度を小さくし、図１０（ｂ）に示すように比較手段５０で導出した差の値が正となる場合（すなわち、復水器８０の実際の真空度が理想真空度よりも高い場合）は解放弁８１０の開度を大きくするように構成されている。
【００４０】
このように、調整手段５１は、復水器８０の実際の真空度が理想真空度よりも低いと判断した場合は復水器８０の真空度を高めるように調整し、復水器８０の実際の真空度が理想真空度よりも高いと判断した場合は復水器８０の真空度を下げるように調整する。
【００４１】
基準導出手段５２は、水温実測値と、出力実測値とに基づいて新たな理想真空値を導出する（図３参照）。本実施形態では、基準導出手段５２が導出した新たな理想真空値を更新理想値として以下の説明を行う場合がある。
【００４２】
また、基準導出手段５２は、正常運転時における発電機８２の出力実測値を用いて新たな理想真空値を導出するように構成されていることが好ましい。そして、基準導出手段５２で導出した新たな理想真空値は、記憶部６に記憶させておいてもよい。
【００４３】
なお、基準導出手段５２は、図１０（ａ）、図１０（ｂ）に示されているような、真空度実測値が理想真空値からずれている場合（すなわち、比較手段５０が導出した真空度実測値と理想真空値との差が正又は負の値となっている場合）に比較手段５０によって実行されるように構成されていてもよい。
【００４４】
更新手段５３は、上述のように、使用中の真空理想値を更新理想値に更新する（置き換える）手段である。なお、更新手段５３は、使用中の真空理想値を一つずつ更新理想値に置き換えるように構成されていてもよいし、使用中の真空理想値の全てを一括して更新理想値に置き換えるように構成されていてもよい。
【００４５】
すなわち、更新手段５３は、性能曲線の一部を更新するように構成されていてもよいし、性能曲線全体を一括して更新するように構成されていてもよい。
【００４６】
なお、更新手段５３は、使用中の真空理想値を更新理想値に更新した後、該更新理想値をさらに別の更新理想値に更新することも可能である。
【００４７】
異常通知手段５４は、図３に示すように、更新手段５３により理想真空値が更新された後に実行される。また、異常通知手段５４は、更新後の理想真空値が復水器８０の真空度の異常を示す基準である異常基準値を下回っているか否かを判定する異常判定手段５４０と、該異常判定手段５４０によって更新後の理想真空値が異常基準値を下回っていると判定された場合に、調整手段５１をロックし（すなわち、開放弁の開閉を規制することで復水器８０の真空度の調整をロックし）、且つ真空度実測値（復水器８０の真空度）が異常基準値を上回った際に調整手段５１に対するロックを解除する異常復帰手段５４１とを有する。
【００４８】
劣化通知手段５５は、更新手段５３により理想真空値が更新された後（本実施形態では、更新手段５３及び異常通知手段５４が実行された後）に実行される。
【００４９】
そして、劣化通知手段５５は、更新後の理想真空値が更新前の理想真空値よりも低下しているか否かを判断する低下確認手段５５０と、更新後の理想真空値が更新前の理想真空値よりも低下した回数（以下、低下回数という）を記憶するカウント手段５５１と、更新後の理想真空値が更新前の理想真空値よりも上昇した場合にカウント手段５５１で記憶している低下回数をリセットする（０に戻す）リセット手段５５２とを有する。
【００５０】
低下確認手段５５０は、更新前の性能曲線を構成する各理想真空値と、更新後の性能曲線を構成する各理想真空値とを比較する。より具体的には、同一の冷却水の温度に対応する更新前の理想真空値と、更新後の理想真空値とを比較する。
【００５１】
なお、低下確認手段５５０は、更新手段５３で更新された理想真空値のみを、更新前の理想真空値との比較の対象とするように構成されている。
【００５２】
カウント手段５５１は、カウントした低下回数を記憶部６に記憶するように構成されており、リセット手段５５２は、記憶部６に記憶されている低下回数をリセットする（０に戻す）ように構成されている。
【００５３】
そして、劣化通知手段５５は、低下回数が所定の回数に到達した場合に復水器８０が劣化している旨（すなわち、復水器８０のメンテナンスが必要である旨）を通知するように構成されている。低下回数が所定の回数に到達したか否かの判断は、例えば、予め設定しておいた基準回数と低下回数とを比較する等して行えばよい。
【００５４】
なお、劣化通知手段５５は、低下回数が所定の回数に到達したか否かを判断するとともに、低下回数を増加させた際に更新した各理想真空値の最大値と最小値とを比較し、該最大値と最小値との差が所定の値以上となっているか否かを併せて判断するようにしてもよい。
この場合、低下回数が所定の回数に到達し、且つ低下回数を増加させた際に更新した各理想真空値の最大値と最小値との差が所定の値以上である場合に、復水器８０が劣化している旨を通知するように構成してもよい。
【００５５】
劣化通知手段５５は、更新後の理想真空値に更新前の理想真空値よりも低下した値が含まれていない場合、処理を終了するように構成されていてもよい。
【００５６】
本実施形態に係る管理システム１の構成は、以上の通りである。続いて、管理システム１の動作について説明する。なお、本実施形態では、復水器８０の真空度が理想真空値からずれている状況下における管理システム１の動作を一例に挙げて以下の説明を行う。
【００５７】
制御部５により調整処理が実行されると、図４に示すように、比較手段５０が実行される（Ｓ１）。
【００５８】
比較手段５０は、図５に示すように、真空度計測部３から真空度実測値を取得し、水温計測部２から水温実測値を取得し、出力計測部４から出力実測値を取得し（Ｓ１０）、該真空度実測値、水温実測値、出力実測値をそれぞれ記憶部６に記憶し（Ｓ１１）、さらに、水温実測値に対応する理想真空値を導出する（Ｓ１２）。
【００５９】
そして、比較手段５０は、真空度実測値から理想真空値を減算し、理想真空値に対する真空度実測値の差を導出し（Ｓ１３）、水温実測値と真空度実測値とに基づく点を性能曲線にプロットする（Ｓ１４）。
【００６０】
比較手段５０で導出した差の値が負である場合は、図１０（ａ）に示すように、水温実測値と真空度実測値とに基づく点が性能曲線の下方側にプロットされる。一方、比較手段５０で導出した差の値が正である場合は、図１０（ｂ）に示すように、水温実測値と真空度実測値とに基づく点が性能曲線の上方側にプロットされる。
【００６１】
そして、図４に示すように、真空度実測値と水温実測値に対応する理想真空値とに差が生じている場合（Ｓ２でＹｅｓ）、基準導出手段５２が実行される。なお、真空度実測値と水温実測値に対応する理想真空値とに差が生じていない場合は、調整処理を終了したり、基準導出手段５２を実行せずに更新手段５３を実行したりしてもよい。
【００６２】
基準導出手段５２は、水温実測値と出力実測値とに基づいて新たな理想真空値を導出して記憶部６に記憶する（Ｓ３）。
【００６３】
続いて、更新手段５３が実行される。更新手段５３は、使用中（更新前）の理想値を比較手段５０で導出した更新理想値に置き換える（Ｓ４）。更新手段５３では、更新前の理想値が一つずつ更新理想値に置き換えられたり、更新前の理想値の全てが一括して更新理想値に置き換えたりすることによって、図１１（ａ）及び図１１（ｂ）に示すように、性能曲線が更新される。なお、図１１（ａ）、図１１（ｂ）及び図１２においては、更新前の性能曲線に符号「Ｌ１」を付し、更新後の性能曲線に符号「Ｌ２」を付している。
【００６４】
そして、異常通知手段５４が実行される（Ｓ５）。異常通知手段５４は、図６に示すように、更新後の理想真空値に異常基準値よりも低下しているもの（図１２参照）が含まれていることを発見すると（Ｓ５０でＹｅｓ）、復水器８０の真空度が異常である旨を通知し（Ｓ５１）、調整手段５１をロックする（Ｓ５２）。
【００６５】
なお、異常通知手段５４は、更新後の理想真空値に異常基準値よりも低下しているものが含まれていることを発見しなかった場合（Ｓ５０でＮｏ）、復水器８０の真空度が異常である旨の通知も、調整手段５１のロックも行わない。このとき、調整手段５１がロックされていれば、異常通知手段５４が調整手段５１に対するロックを解除する（Ｓ５３）。
【００６６】
そして、図４に示すように、劣化通知手段が実行される（Ｓ６）。劣化通知手段５５は、図７に示すように、更新後の理想真空値が更新前の理想真空値よりも低下している場合（Ｓ６０でＹｅｓ）、カウント手段５５１が前記低下回数を増やす（Ｓ６１）。
【００６７】
さらに、前記低下回数が所定の回数に到達している場合（Ｓ６２でＹｅｓ）は、劣化通知手段５５により復水器８０が劣化している旨が通知される（Ｓ６３）
【００６８】
一方、更新後の理想真空値が更新前の理想真空値よりも上昇している場合においては（Ｓ６０でＮｏ）、カウント手段５５１が前記低下回数をリセットする（Ｓ６２）。
【００６９】
そして、図４に示すように、調整手段５１が実行される（Ｓ７）。調整手段５１は、図８に示すように、比較手段５０で導出した差の値が負となる場合（Ｓ７０でＹｅｓ）、解放弁８１０の開度を小さくし（Ｓ７１）、比較手段５０で導出した差の値が正となる場合（Ｓ７０でＮｏ）、解放弁８１０の開度を大きくする（Ｓ７２）。これにより、復水器８０の真空度を理想真空度に近づけるように調整する。
【００７０】
以上のように、本実施形態に係る管理システム１によれば、真空度実測値が水温計測部２で計測した水温である水温実測値に適した真空度である理想真空値からずれていると、調整手段５１によって復水器８０の真空度が理想真空値に近づくように調整される。
【００７１】
そのため、管理システム１では、冷却水の温度変化に連動して復水器８０の真空度が変化してしまう前に復水器８０の真空度を冷却水の温度に適した状態に調整しておくことができる。従って、管理システム１は、冷却水の温度変化に応じて復水器８０の真空度を適正値に調整できる。
【００７２】
また、復水器８０の真空度の調整には、復水器８０に供給される前に水温計測部２で測定した水温実測値が使用されるため、復水器８０の真空度を冷却水の温度に適した状態に調整し易くなっている。
【００７３】
さらに、管理システム１では、理想真空値が、冷却水の温度と前記冷却水の温度に適した発電機８２の出力値とに基づいて導出されていているため、冷却水の温度が変化した際に、発電機８２の出力値を冷却水の温度に適した出力値に保ちつつ、復水器８０の真空度も冷却水の温度に適した状態に調整できる。
【００７４】
さらに、管理システム１の理想真空値は、更新手段５３により基準導出手段５２で導出した新たな理想真空値に置き換えることが可能であるため、気候や環境の変化に合わせて理想真空値を変更でき、復水器８０の真空度を適正な状態から逸脱し難くすることができる。
【００７５】
本実施形態に係る管理システム１では、更新手段５３で更新した新たな理想真空値が異常基準値よりも低下していると異常通知手段５４によって判断された場合、復水器８０の真空度が異常である旨が通知されるため、理想真空値を更新した時点で、すなわち、実際に復水器８０の真空度が異常な値になる前に復水器８０の真空度が異常となる可能性があることが知らされるため、復水器８０の真空度が適正な状態から逸脱することを回避し易くすることができる。
【００７６】
さらに、前記更新手段５３で更新した新たな理想真空値が更新前の前記理想真空値よりも低下している状態が連続的に続いた場合、劣化通知手段５５によって復水器８０が劣化している旨が通知されるため、理想真空値を更新した際に復水器８０が劣化していることを知ることができる。そのため、本実施形態に係る管理システム１では、劣化の影響で復水器８０の真空度が適正な状態から逸脱する前に、復水器８０のメンテナンスが必要であることを知ることができる。
【００７７】
なお、本発明の復水器の管理システムは、上記一実施形態に限定されるものではなく、本発明の要旨を逸脱しない範囲において種々変更を行うことは勿論である。
【００７８】
上記実施形態において、調整手段５１は、解放弁８１０の開度を制御することにより復水器８０の真空度を調整するように構成されていたが、例えば、復水器８０に真空ポンプ等の復水器８０の内圧を調整できる設備が設けられている場合は、該設備を制御するようにしてもよい。
【００７９】
上記実施形態において、制御部５と記憶部６とは単一の装置（処理装置７）で構成されていたが、例えば、制御部５と記憶部６とは別々の装置で構成されていてもよい。
【符号の説明】
【００８０】
１…管理システム、２…水温計測部、３…真空度計測部、４…出力計測部、５…制御部、６…記憶部、７…処理装置、５０…比較手段、５１…調整手段、５２…基準導出手段、５３…更新手段、５４…異常通知手段、５５…劣化通知手段、８０…復水器、８１…取水部、８２…発電機、８３…タービン、５４０…異常判定手段、５４１…異常復帰手段、５５０…低下確認手段、５５１…カウント手段、５５２…リセット手段、８１０…解放弁、Ｓ…水源
【図１】
2018119524.tif 000003
【図２】
2018119524.tif 000004
【図３】
2018119524.tif 000005
【図４】
2018119524.tif 000006
【図５】
2018119524.tif 000007
【図６】
2018119524.tif 000008
【図７】
2018119524.tif 000009
【図８】
2018119524.tif 000010
【図９】
2018119524.tif 000011
【図１０】
2018119524.tif 000012
【図１１】
2018119524.tif 000013
【図１２】
2018119524.tif 000014